(57)【要約】【課題】データを画像に変換してデータ交換する際に、画像データに余計な情報を加味しない効率的なデータ交換を実現できるようにすることを課題とする。【解決手段】ＰＣ１上に記憶されたデータファイルをまず携帯電話機３で保存可能な画像サイズ及び画像形式で画像変換し、そのとき、データファイルの種別を示す識別子を画像ファイルのデータに埋め込む。このようにして生成された画像ファイルを一般の待受け画像と同様に携帯電話機３に保存し、その携帯電話機３からデータ変換先のＰＣ２で画像ファイルを読み出し、識別子の存在確認に従って画像ファイルから元のデータファイルに復元する。【選択図】      図１
2004240775.tif 000002
【特許請求の範囲】
【請求項１】
データ交換装置であって、
複数種の画像保存形式を記憶する記憶手段と、
前記記憶手段に記憶された複数種の画像保存形式に従って指定された元データファイルを画像ファイルに変換する際、所定の識別子を埋め込む画像変換手段と、
指定された画像ファイルに前記所定の識別子が埋め込まれているかどうかを判断する判断手段と、
前記判断手段で前記所定の識別子が埋め込まれていたと判断した場合にのみ前記画像変換手段で変換された画像ファイルを元データファイルに復元する復元手段と、
を備えたことを特徴とするデータ交換装置。
【請求項２】
携帯端末を用いてデータ交換を行うデータ交換装置であって、
前記携帯端末との間でデータ送受信可能に接続する接続手段と、
ユーザの操作に応答してデータ送信する場合には、あらかじめ用意された元データを画像データに変換し、前記接続手段で接続された携帯端末に対して前記変換した画像データを送信する変換及び送信手段と、
ユーザの操作に応答してデータ受信する場合には、前記接続手段で接続された携帯端末から画像データを受信し、前記受信された画像データを元データに復元する受信及び復元手段と、
を備えたことを特徴とするデータ交換装置。
【請求項３】
前記変換及び送信手段は、前記携帯端末で保持可能な画像フォーマットにしたがって前記元データを画像データに変換し、前記受信及び復元手段は、前記携帯端末で保持可能な画像フォーマットにしたがって前記画像データを元データに復元することを特徴とする請求項２に記載のデータ交換装置。
【請求項４】
さらに、携帯端末の種類に対応させて当該携帯端末で扱う画像サイズ及び画像形式を記憶する記憶手段を有し、前記変換及び送信手段は前記記憶手段に記憶された画像サイズ及び画像形式に変換することを特徴とする請求項２又は３に記載のデータ交換装置。
【請求項５】
前記変換及び送信手段は、変換の際、前記元データの種別を示す情報を前記画像データの中に埋め込み、前記受信及び復元手段は、前記画像データに埋め込まれた前記種別を示す情報に従って復元を行うことを特徴とする請求項２、３又は４に記載のデータ交換装置。
【請求項６】
前記変換及び送信手段は、元データが１ファイル分の画像データで収まらない場合、複数の画像ファイルに分割し、前記受信及び復元手段は、前記受信された複数の画像ファイルが１つの元データから構成される場合、前記複数の画像ファイルから構成される画像データを前記１つの元データに復元することを特徴とする請求項２〜５のいずれか１つに記載のデータ交換装置。
【請求項７】
前記変換及び送信手段は、変換の際、分割の有無及び分割時の順番を示す情報を前記画像データの中に埋め込み、前記受信及び復元手段は、前記画像データに埋め込まれた前記分割の有無及び分割時の順番を示す情報に従って復元を行うことを特徴とする請求項６に記載のデータ交換装置。
【請求項８】
データ交換方法であって、
あらかじめ記憶された複数種の画像保存形式に従って指定された元データファイルを画像ファイルに変換する際、所定の識別子を埋め込む第１ステップと、
指定された画像ファイルに前記所定の識別子が埋め込まれているかどうかを判断する第２ステップと、
前記第２ステップで前記所定の識別子が埋め込まれていたと判断した場合にのみ前記第１ステップで変換された画像ファイルを元データファイルに復元する第３ステップと、
を含んだことを特徴とするデータ交換方法。
【請求項９】
携帯端末を用いてデータ交換を行うデータ交換方法であって、
前記携帯端末との間でデータ送受信可能に接続する第１ステップと、
ユーザの操作に応答してデータ送信する場合には、あらかじめ用意された元データを画像データに変換し、前記第１ステップで接続された携帯端末に対して前記変換した画像データを送信する第２ステップと、
ユーザの操作に応答してデータ受信する場合には、前記第１ステップで接続された携帯端末から画像データを受信し、前記受信された画像データを元データに復元する第３ステップと、
を含んだことを特徴とするデータ交換方法。
【請求項１０】
前記第２ステップは、前記携帯端末で保持可能な画像フォーマットにしたがって前記元データを画像データに変換し、前記第３ステップは、前記携帯端末で保持可能な画像フォーマットにしたがって前記画像データを元データに復元することを特徴とする請求項９に記載のデータ交換方法。
【請求項１１】
携帯端末の種類に対応させて当該携帯端末で扱う画像サイズ及び画像形式をあらかじめ記憶しており、前記第２ステップは前記あらかじめ記憶された画像サイズ及び画像形式に変換することを特徴とする請求項９又は１０に記載のデータ交換方法。
【請求項１２】
前記第２ステップは、変換の際、前記元データの種別を示す情報を前記画像データの中に埋め込み、前記第３ステップは、前記画像データに埋め込まれた前記種別を示す情報に従って復元を行うことを特徴とする請求項９、１０又は１１に記載のデータ交換方法。
【請求項１３】
前記第２ステップは、元データが１ファイル分の画像データで収まらない場合、複数の画像ファイルに分割し、前記第３ステップは、前記受信された複数の画像ファイルが１つの元データから構成される場合、前記複数の画像ファイルから構成される画像データを前記１つの元データに復元することを特徴とする請求項９〜１２のいずれか１つに記載のデータ交換方法。
【請求項１４】
前記第２ステップは、変換の際、分割の有無及び分割時の順番を示す情報を前記画像データの中に埋め込み、前記第３ステップは、前記画像データに埋め込まれた前記分割の有無及び分割時の順番を示す情報に従って復元を行うことを特徴とする請求項１３に記載のデータ交換方法。
【請求項１５】
コンピュータにより実行可能なデータ交換プログラムであって、
前記コンピュータに、
あらかじめ記憶された複数種の画像保存形式に従って指定された元データファイルを画像ファイルに変換する際、所定の識別子を埋め込む第１ステップと、
指定された画像ファイルに前記所定の識別子が埋め込まれているかどうかを判断する第２ステップと、
前記第２ステップで前記所定の識別子が埋め込まれていたと判断した場合にのみ前記第１ステップで変換された画像ファイルを元データファイルに復元する第３ステップと、
を実行させることを特徴とするデータ交換プログラム。
【請求項１６】
携帯端末を用いてデータ交換を行うためのコンピュータにより実行可能なデータ交換プログラムであって、
前記コンピュータに、
前記携帯端末との間でデータ送受信可能に接続する第１ステップと、
ユーザの操作に応答してデータ送信する場合には、あらかじめ用意された元データを画像データに変換し、前記第１ステップで接続された携帯端末に対して前記変換した画像データを送信する第２ステップと、
ユーザの操作に応答してデータ受信する場合には、前記第１ステップで接続された携帯端末から画像データを受信し、前記受信された画像データを元データに復元する第３ステップと、
を実行させることを特徴とするデータ交換プログラム。
【請求項１７】
前記携帯端末で保持可能な画像フォーマットにしたがって前記元データを画像データに変換させる前記第２ステップと、前記携帯端末で保持可能な画像フォーマットにしたがって前記画像データを元データに復元させる前記第３ステップとを有したことを特徴とする請求項１６に記載のデータ交換プログラム。
【請求項１８】
携帯端末の種類に対応させて当該携帯端末で扱う画像サイズ及び画像形式をあらかじめ記憶しており、前記あらかじめ記憶された画像サイズ及び画像形式に変換させる前記第２ステップを有したことを特徴とする請求項１６又は１７に記載のデータ交換プログラム。
【請求項１９】
変換の際、前記元データの種別を示す情報を前記画像データの中に埋め込ませる前記第２ステップと、前記画像データに埋め込まれた前記種別を示す情報に従って復元を行わせる前記第３ステップとを有したことを特徴とする請求項１６、１７又は１８に記載のデータ交換プログラム。
【請求項２０】
元データが１ファイル分の画像データで収まらない場合、複数の画像ファイルに分割させる前記第２ステップと、前記受信された複数の画像ファイルが１つの元データから構成される場合、前記複数の画像ファイルから構成される画像データを前記１つの元データに復元させる前記第３ステップとを有したことを特徴とする請求項１６に記載のデータ交換プログラム。
【請求項２１】
変換の際、分割の有無及び分割時の順番を示す情報を前記画像データの中に埋め込ませる前記第２ステップと、前記画像データに埋め込まれた前記分割の有無及び分割時の順番を示す情報に従って復元を行わせる前記第３ステップとを有したことを特徴とする請求項２０に記載のデータ交換プログラム。
【発明の詳細な説明】
【０００１】
【発明の属する技術分野】
本発明は、例えば、データ交換装置、データ交換方法及びデータ交換プログラムに関する。
【０００２】
【従来の技術】
近年、パーソナルコンピュータ（ＰＣ）用の外部記憶装置は多様化している。外部記憶装置には、フロッピー（登録商標）ディスク、ＣＤ−Ｒ、記録用ＤＶＤ、外付けＨＤＤのようにデータのリード／ライトの際に駆動機構を必要とする製品、半導体メモリを利用したＵＳＢ接続メモリ等があり、これらは一般化している。
【０００３】
前述した外部記憶装置は記憶専用の記憶媒体であるため、記憶以外の用途に使うことを前提としてはおらず、記憶容量、サイズ、形状が多種多様である。フロッピー（登録商標）ディスク、ＣＤ−Ｒ、記録用ＤＶＤ等の記憶媒体の場合には、外付けＨＤＤ等と比べてサイズは小さいが、例えば携帯用のバッグに収容するには嵩張るという不具合があった。
【０００４】
【発明が解決しようとする課題】
そこで、特に普及率の高い携帯電話機に着目すると、携帯電話機は、ユーザの性別，年齢に関係なく、場所を選ばずに通信するためのツールとして携帯される。この携帯電話機には、待ち受け画面を構成する画像データを記憶する機能が備わっている。
【０００５】
そこで、本件発明者は、携帯することを目的とした携帯電話機に着目し、また携帯電話機が記憶媒体としての機能を有する点にも着目した。今後、携帯電話機を利用してＰＣ間でデータ交換する機能の実現に期待が高まっている。
【０００６】
本発明の目的は、携帯端末を利用してデータ交換する際に、画像データに余計な情報を加味しない効率的なデータ交換を実現可能なデータ交換装置、データ交換方法及びデータ交換プログラムを提供することにある。
【０００７】
【課題を解決するための手段】
上述した課題を解決し、上記目的を達成するため、請求項１の発明に係るデータ交換装置は、データ交換装置であって、複数種の画像保存形式を記憶する記憶手段と、前記記憶手段に記憶された複数種の画像保存形式に従って指定された元データファイルを画像ファイルに変換する際、所定の識別子を埋め込む画像変換手段と、指定された画像ファイルに前記所定の識別子が埋め込まれているかどうかを判断する判断手段と、前記判断手段で前記所定の識別子が埋め込まれていたと判断した場合にのみ前記画像変換手段で変換された画像ファイルを元データファイルに復元する復元手段と、を備えたことを特徴とするものである。
【０００８】
また、請求項２の発明に係るデータ交換装置は、携帯端末を用いてデータ交換を行うデータ交換装置であって、前記携帯端末との間でデータ送受信可能に接続する接続手段と、ユーザの操作に応答してデータ送信する場合には、あらかじめ用意された元データを画像データに変換し、前記接続手段で接続された携帯端末に対して前記変換した画像データを送信する変換及び送信手段と、ユーザの操作に応答してデータ受信する場合には、前記接続手段で接続された携帯端末から画像データを受信し、前記受信された画像データを元データに復元する受信及び復元手段と、を備えたことを特徴とするものである。
【０００９】
この請求項２の発明において、前記変換及び送信手段は、前記携帯端末で保持可能な画像フォーマットにしたがって前記元データを画像データに変換し、前記受信及び復元手段は、前記携帯端末で保持可能な画像フォーマットにしたがって前記画像データを元データに復元するようにしてもよい。
【００１０】
この請求項２の発明において、さらに、携帯端末の種類に対応させて当該携帯端末で扱う画像サイズ及び画像形式を記憶する記憶手段を有し、前記変換及び送信手段は前記記憶手段に記憶された画像サイズ及び画像形式に変換するようにしてもよい。
【００１１】
この請求項２の発明において、前記変換及び送信手段は、変換の際、前記元データの種別を示す情報を前記画像データの中に埋め込み、前記受信及び復元手段は、前記画像データに埋め込まれた前記種別を示す情報に従って復元を行うようにしてもよい。
【００１２】
この請求項２の発明において、前記変換及び送信手段は、元データが１ファイル分の画像データで収まらない場合、複数の画像ファイルに分割し、前記受信及び復元手段は、前記受信された複数の画像ファイルが１つの元データから構成される場合、前記複数の画像ファイルから構成される画像データを前記１つの元データに復元するようにしてもよい。
【００１３】
この請求項２の発明において、前記変換及び送信手段は、変換の際、分割の有無及び分割時の順番を示す情報を前記画像データの中に埋め込み、前記受信及び復元手段は、前記画像データに埋め込まれた前記分割の有無及び分割時の順番を示す情報に従って復元を行うようにしてもよい。
【００１４】
また、請求項８の発明に係るデータ交換方法は、データ交換方法であって、あらかじめ記憶された複数種の画像保存形式に従って指定された元データファイルを画像ファイルに変換する際、所定の識別子を埋め込む第１ステップと、指定された画像ファイルに前記所定の識別子が埋め込まれているかどうかを判断する第２ステップと、前記第２ステップで前記所定の識別子が埋め込まれていたと判断した場合にのみ前記第１ステップで変換された画像ファイルを元データファイルに復元する第３ステップと、を含んだことを特徴とするものである。
【００１５】
また、請求項９の発明に係るデータ交換方法は、携帯端末を用いてデータ交換を行うデータ交換方法であって、前記携帯端末との間でデータ送受信可能に接続する第１ステップと、ユーザの操作に応答してデータ送信する場合には、あらかじめ用意された元データを画像データに変換し、前記第１ステップで接続された携帯端末に対して前記変換した画像データを送信する第２ステップと、ユーザの操作に応答してデータ受信する場合には、前記第１ステップで接続された携帯端末から画像データを受信し、前記受信された画像データを元データに復元する第３ステップと、を含んだことを特徴とするものである。
【００１６】
この請求項９の発明において、前記第２ステップは、前記携帯端末で保持可能な画像フォーマットにしたがって前記元データを画像データに変換し、前記第３ステップは、前記携帯端末で保持可能な画像フォーマットにしたがって前記画像データを元データに復元するようにしてもよい。
【００１７】
この請求項９の発明において、携帯端末の種類に対応させて当該携帯端末で扱う画像サイズ及び画像形式をあらかじめ記憶しており、前記第２ステップは前記あらかじめ記憶された画像サイズ及び画像形式に変換するようにしてもよい。
【００１８】
この請求項９の発明において、前記第２ステップは、変換の際、前記元データの種別を示す情報を前記画像データの中に埋め込み、前記第３ステップは、前記画像データに埋め込まれた前記種別を示す情報に従って復元を行うようにしてもよい。
【００１９】
この請求項９の発明において、前記第２ステップは、元データが１ファイル分の画像データで収まらない場合、複数の画像ファイルに分割し、前記第３ステップは、前記受信された複数の画像ファイルが１つの元データから構成される場合、前記複数の画像ファイルから構成される画像データを前記１つの元データに復元するようにしてもよい。
【００２０】
この請求項９の発明において、前記第２ステップは、変換の際、分割の有無及び分割時の順番を示す情報を前記画像データの中に埋め込み、前記第３ステップは、前記画像データに埋め込まれた前記分割の有無及び分割時の順番を示す情報に従って復元を行うようにしてもよい。
【００２１】
また、請求項１５の発明に係るデータ交換プログラムは、コンピュータにより実行可能なデータ交換プログラムであって、前記コンピュータに、あらかじめ記憶された複数種の画像保存形式に従って指定された元データファイルを画像ファイルに変換する際、所定の識別子を埋め込む第１ステップと、指定された画像ファイルに前記所定の識別子が埋め込まれているかどうかを判断する第２ステップと、前記第２ステップで前記所定の識別子が埋め込まれていたと判断した場合にのみ前記第１ステップで変換された画像ファイルを元データファイルに復元する第３ステップと、を実行させることを特徴とするものである。
【００２２】
さらに、請求項１６の発明に係るデータ交換プログラムは、携帯端末を用いてデータ交換を行うためのコンピュータにより実行可能なデータ交換プログラムであって、前記コンピュータに、前記携帯端末との間でデータ送受信可能に接続する第１ステップと、ユーザの操作に応答してデータ送信する場合には、あらかじめ用意された元データを画像データに変換し、前記第１ステップで接続された携帯端末に対して前記変換した画像データを送信する第２ステップと、ユーザの操作に応答してデータ受信する場合には、前記第１ステップで接続された携帯端末から画像データを受信し、前記受信された画像データを元データに復元する第３ステップと、を実行させることを特徴とするものである。
【００２３】
この請求項１６の発明において、前記コンピュータに、前記携帯端末で保持可能な画像フォーマットにしたがって前記元データを画像データに変換させる前記第２ステップと、前記携帯端末で保持可能な画像フォーマットにしたがって前記画像データを元データに復元させる前記第３ステップとを有したものでもよい。
【００２４】
この請求項１６の発明において、携帯端末の種類に対応させて当該携帯端末で扱う画像サイズ及び画像形式をあらかじめ記憶しており、前記あらかじめ記憶された画像サイズ及び画像形式に変換させる前記第２ステップを有したものでもよい。
【００２５】
この請求項１６の発明において、変換の際、前記元データの種別を示す情報を前記画像データの中に埋め込ませる前記第２ステップと、前記画像データに埋め込まれた前記種別を示す情報に従って復元を行わせる前記第３ステップとを有したものでもよい。
【００２６】
この請求項１６の発明において、前記コンピュータに、元データが１ファイル分の画像データで収まらない場合、複数の画像ファイルに分割させる前記第２ステップと、前記受信された複数の画像ファイルが１つの元データから構成される場合、前記複数の画像ファイルから構成される画像データを前記１つの元データに復元させる前記第３ステップとを有したものでもよい。
【００２７】
この請求項１６の発明において、変換の際、分割の有無及び分割時の順番を示す情報を前記画像データの中に埋め込ませる前記第２ステップと、前記画像データに埋め込まれた前記分割の有無及び分割時の順番を示す情報に従って復元を行わせる前記第３ステップとを有したものでもよい。
【００２８】
【発明の実施の形態】
以下に添付図面を参照して、本発明にかかる実施の形態を詳細に説明する。
【００２９】
本発明は、ＰＣ等のコンピュータ上に記憶されたデータファイルを携帯電話機、ＰＤＡ等の携帯端末に画像ファイルとして一旦保存し、その携帯端末から他のＰＣ等のコンピュータに転送するデータ交換装置、データ交換方法及びデータ交換プログラムを示している。
【００３０】
そこで、以下に説明する実施の形態では、ＰＣ間のデータ交換に携帯電話機を適用した場合を例に挙げて説明する。図１は本発明の一実施の形態による原理を説明する図である。図１において、１，２はＰＣ、３は携帯電話機をそれぞれ示している。ＰＣ１，２はそれぞれ各種のデータファイルを記憶する記憶領域等を備え、携帯電話機３はデータや画像ファイルを記憶する記憶領域、ディスプレイ３１等を備えている。
【００３１】
ＰＣ１の記憶領域には、例えば、文書ファイル１Ａ，画像ファイル１Ｂ，プログラムファイル１Ｃ等のデータファイルが記憶されている。そこで、ＰＣ１からＰＣ２に対するデータ交換の原理について説明する。
【００３２】
ＰＣ１の文書ファイル１ＡをＰＣ２に引き渡す場合、まずＰＣ１の文書ファイル１Ａを携帯電話機１Ａで保存できる画像サイズ及び画像形式に画像変換して画像ファイルを準備する必要がある。ここで、携帯端末の画像サイズ及び画像形式は、保存情報に相当する。画像サイズは、縦横の画素数の対比を示し、画像形式はＪＰＥＧ，ＰＮＧ，ＢＭＰ等を示す。ＰＣ１と携帯電話機３間の通信、ならびに、携帯電話機３とＰＣ２間の通信には、ＵＳＢケーブル、赤外線等が利用可能である。
【００３３】
ＰＣ１において文書ファイル１Ａから画像ファイルが準備されると、ＰＣ１から携帯電話機３に対して例えばＵＳＢケーブルを介して画像ファイルが送信される。このとき、携帯電話機３の記憶領域には、受信された画像ファイルは例えば画像ファイル３Ａとして保存される。
【００３４】
携帯電話機３とＰＣ２との間を例えばＵＳＢケーブルで接続することができる。このＵＳＢケーブルを介して携帯電話機３からＰＣ２に対して画像ファイル３Ａは送信される。ＰＣ２において、受信された画像ファイル３は元の文書ファイル１Ａに復元されことで、データ交換が完了する。
【００３５】
以上は文書ファイル１Ａのデータ交換を説明したが、画像ファイル１Ｂ、プログラムファイル１Ｃのようにファイル形式に関係なく、ＰＣ１，２間のデータ交換を実現することができる。
【００３６】
画像ファイル１Ｂの場合であっても、まずはＰＣ１において、携帯電話機３で扱われる画像サイズ及び画像形式への変換が行われ、画像ファイル３Ｂとして携帯電話機３に保存される。また画像ファイル３ＢがＰＣ２に送信されると、画像ファイル３Ｂは元の画像ファイル１Ｂに復元される。
【００３７】
同様に、プログラムファイル１Ｃの場合であっても、まずはＰＣ１において、携帯電話機３で扱われる画像サイズ及び画像形式への変換が行われ、画像ファイル３Ｃとして携帯電話機３に保存される。また画像ファイル３ＣがＰＣ２に送信されると、画像ファイル３Ｃは元のプログラムファイル１Ｃに復元される。
【００３８】
携帯電話機においては、一般に待受け画像を記憶することができる。この待受け画像の画像サイズ及び画像形式は携帯電話機の機種によって異なる。そこで、本発明は、この待受け画像と同様の画像サイズ及び画像形式でデータファイルを画像ファイル化して扱うことに着目したものである。
【００３９】
携帯電話機上での画像ファイルに基づく画像は、通常の待受け画像と何ら変わりはないが、データファイルのデータをそのまま画像データに変換するため、画像としての意味はなさないことになる。
【００４０】
また、本発明を適用せずに例えば画像ファイル３ＡをＰＣ上に展開しても画像ファイルとしてのみ扱うことはできても元の文書ファイル１Ａに復元することはできないことになる。
【００４１】
以下、さらに具体的な説明に移る。まず、本発明のデータ交換装置に相当するＰＣについて説明する。図２は本実施の形態によるＰＣの一構成例を示すブロック図であり、図３は本実施の形態で扱うリストの一例を示す図である。図２には、ＰＣ１の構成例を示すが、ＰＣ２も同様のため、ＰＣ２の説明は省略する。
【００４２】
ＰＣ１は、たとえば図２に示したように、内部バス１１に、インタフェース１２、ＣＰＵ１３、ＲＯＭ１４、ＲＡＭ１５、ディスプレイ１６、キーボード１７、ＣＤ／ＤＶＤドライブ１８、ハードディスク１９を接続させ、アドレス信号、制御信号、データ等を伝送させ、本実施の形態によるデータ交換を実現する構成を備えている。
【００４３】
図２において、インタフェース１２は、例えば携帯電話機３との通信においてＵＳＢケーブルで接続したり赤外線で接続する機能を司る。このインタフェース１２には、インターネット等の通信網に接続する機能をもたせてもよい。ＣＰＵ１３は、ＲＯＭ１４に格納されたＯＳによりＰＣ１全体の制御を行うとともにハードディスク１９に格納された各種のアプリケーションプログラムに基づいて処理を実行する機能を司る。
【００４４】
ＲＯＭ１４は、ＯＳ等のようにＰＣ１全体の制御を行うためのプログラムを格納しており、これらをＣＰＵ１３に供給する機能を有している。ＲＡＭ１５は、ＣＰＵ１３による各種プログラムの実行時にワークエリアとして利用されるメモリ機能を有している。
【００４５】
ディスプレイ１６は、ＣＰＵ１３の各種の処理に伴うメニュー、ステータス、表示遷移等を表示する機能を有している。キーボード１７は、文字、数字、記号等のデータを入力するためのキー、画面上のポイント位置を操作するためのカーソルキー、ファンクションキー等を備えている。なお、ポイント位置を操作するために、マウス等のデバイスを備えるようにしてもよい。
【００４６】
ＣＤ／ＤＶＤドライブ１８は、各種のプログラムを記憶したＣＤやＤＶＤからインストール作業を実行するための駆動ユニットである。なお、フロッピー（登録商標）ディスクのドライブ機能を付加してもよい。
【００４７】
ハードディスク１９は、プログラム１９Ａ、メモリ１９Ｂ、ファイルリスト１９Ｃ、保存先リスト１９Ｄ等を記憶する外部記憶装置である。プログラム１９Ａは、前述したＣＤ／ＤＶＤドライブ１８等からインストールされたプログラムを実行形式で記憶したものに相当する。メモリ１９Ｂは、ワープロソフト等で作成された文書ファイル、ＪＰＥＧ，ＰＮＧ，ＢＭＰ等の形式をもつ画像ファイル、実行形式にする前の状態のプログラムファイル等のデータファイルを保存する記憶部である。
【００４８】
ファイルリスト１９Ｃは、メモリ１９Ｂに記憶されている各種のデータファイルをリスト化したテーブルであり、保存先リスト１９Ｄは、本発明のデータ交換で必要となる携帯電話機等の携帯端末とその保存情報（画像サイズ及び画像形式）とを対応付けたテーブルである。
【００４９】
ファイルリスト１９Ｃは、例えば図３（Ａ）に示したように、ファイル名にファイルの属性を対応付けてリスト化したテーブルである。ファイル名「ＡＢＣ」、「ａｂｃ」、「あいう」には、それぞれ文書、画像、プログラムの属性が対応付けられている。
【００５０】
保存先リスト１９Ｄは、例えば図３（Ｂ）に示したように、保存先（例えば機種名）、画像サイズ、画像形式を対応付けてリスト化したテーブルである。保存先「Ａ１」、「Ａ２」、「Ｂ１」、「Ｂ２」、「Ｃ１」、「Ｃ２」には、画像サイズとしてそれぞれ１２０＊１２０、１２０＊１６０、１２０＊１２０、１２０＊１６０、１２０＊１２０、１２０＊１６０が対応付けられ、さらに、画像形式としてそれぞれＪＰＥＧ、ＪＰＥＧ、ＰＮＧ、ＰＮＧＦ、ＢＭＰ、ＢＭＰが対応付けられている。
【００５１】
つぎに、本実施の携帯によるデータ交換時の機能について詳述する。図４は本実施の形態によるファイル保存機能を説明するブロック図であり、図５は本実施の形態によるファイル読み出し機能を説明するブロック図である。
【００５２】
ここでも図１の関係を用い、ＰＣ１，２間のデータ交換を携帯電話機３を介して行う例を用いて説明する。ここで、データ交換対象となるファイルを元ファイルとして定義する。まず、元ファイルを携帯電話機３に保存するまでの機能を図４を用いて説明する。以下に説明する機能はプログラム１９Ａ及びプログラム実行時に関与する図２の各ユニットにより実現される。
【００５３】
まず、ＰＣ１上において、ファイルリスト１９Ｃが参照され、元ファイル選択部１０１により元ファイルの選択が行われる。元ファイルの選択後は、保存先選択部１０２により、保存先リスト１９Ｄが参照され、元ファイルを保存する携帯端末を特定するために、保存先の選択が行われる。ここまでの２つの選択は、ユーザの操作により表示画面にファイルリスト１９Ｃ、保存先リスト１９Ｄを表示することにより行われる。
【００５４】
つづいて、保存情報取得部１０３により、保存先リスト１９Ｄが参照され、保存先選択部１０２で選択された保存先に対応する画像サイズ及び画像形式が取得され、画像変換部１０４にて画像サイズ及び画像形式に従って元ファイルから画像ファイルへの画像変換が実行される。その結果、画像ファイルが生成される。画像変換時には、元ファイル選択部１０１からメモリ１９Ｂに対して元ファイルを特定するための選択情報が与えられ、元ファイル読み出し部１０５により該当する元ファイルが読み出され、画像変換部１０４に供給される。
【００５５】
例えば、ファイルリスト１９Ｃからファイル名「ＡＢＣ」が選択されると、データ交換の対象は文書ファイルとなる（図３（Ａ）及び（Ｂ）参照）。また、保存先リスト１９Ｄから保存先「Ａ１」が選択されると、文書ファイル「ＡＢＣ」は１２０＊１２０の画像サイズでＪＰＥＧ形式に画像変換されることになる（図３（Ａ）及び（Ｂ）参照）。
【００５６】
この画像変換時には、画像変換部１０４は、データファイルから画像ファイルへの変換を示し、かつ、画像ファイルの元ファイルの種別を示す識別子を画像ファイルのデータの所定の位置に埋め込む処理を施す。この識別子は、数字、記号、文字からなるＮビットのコードである。なお、Ｎは１６ビット、３２ビットあるいはそれ以上でもよい。
【００５７】
そして、画像変換部１０４で生成された画像ファイルは画像保存部１０７により通信により携帯電話機３の記憶領域に書き込まれる。その結果、画像ファイルは携帯電話機３に画像形式で一般の待受け画像と同様に保存される。
【００５８】
つづいて、携帯電話機３に保存された画像ファイルをＰＣ２に移すまでの機能を図５を用いて説明する。以下に説明する機能はプログラム１９Ａ及びプログラム実行時に関与する図２の各ユニットにより実現される。
【００５９】
まず、携帯電話機３とＰＣ２とが通信で接続されると、ＰＣ２においては、画像リストの読み出し部２０１により携帯電話機３の記憶領域から画像リストが読み出される。この画像リストは、携帯電話機が一般的に有するリストを利用するので、例えば携帯電話機で保存可能な画像ファイル数分の画像Ｎｏ．を取得することができる。
【００６０】
そして、読み出し対象の画像選択部２０２により、画像リストから目的の画像Ｎｏ．が読み出し対象として選択される。この選択操作は、画像リストの表示によりユーザのキーボード操作により行われる。このようにして画像ファイルが選択されると、画像読み出し部２０３により携帯電話機３から選択画像ファイルのデータが読み出される。
【００６１】
そして、識別子有無の判定部２０４により、携帯電話機３から読み出された画像ファイルのデータに基づいて識別子が確認される。元ファイルの種別を示す識別子であるという判定結果が得られると、解凍（復元）部２０５により、画像ファイルの解凍すなわち元ファイルへの復元が行われる。
【００６２】
このようにして復元された元ファイルすなわち文書ファイル「ＡＢＣ」は、元ファイルの記憶部２０６の制御によりＰＣ２のメモリ２１に記憶される。このようにして、ＰＣ１，２間のデータ交換を携帯電話機３を介して実現することができる。
【００６３】
つぎに、本実施の形態による動作について表示例を含めて説明する。図６は本実施の形態によるファイル保存時の表示遷移を説明する図、図７は本実施の形態によるファイル読み出し時の表示遷移を説明する図、図８は本実施の形態によるファイル保存時の動作を説明するフローチャート、そして、図９は本実施の形態によるファイル読み出し時の動作を説明するフローチャートである。ここでもＰＣ１，２間を携帯電話機３を介してデータ交換する例を挙げ、交換対象のファイルを文書ファイル「ＡＢＣ」、携帯電話機３を機種名「Ａ１」とした例で説明する。
【００６４】
まず、ＰＣ１のディスプレイ１６の画面上にファイルリストが表示されると、ユーザの操作によりカーソル移動で文書ファイル「ＡＢＣ」１６０を選択することができる（図６（Ａ）参照）。ファイルリストの表示はＯＳ等の一般の機能に依存してもよい。このように、まずはユーザの操作により保存対象の元ファイルが選択される（ステップＳ１０）。
【００６５】
元ファイルの選択後は、ディスプレイ１６の画面上に保存メニューが表示される。この場合、携帯電話機に保存するためのアイコン１６１、パソコン（ＰＣ１）に保存するためのアイコン１６２等が表示され、保存機器の特定がユーザに対して促される（図６（Ｂ）参照）。このように、保存メニューの表示が行われる（ステップＳ１１）。
【００６６】
そこで、ユーザの操作によりアイコン１６１が選択されると、保存先リストが表示される（図６（Ｃ）参照）。すなわち、保存メニューの表示後は、アイコン１６１が操作されると（ステップＳ１２のＹＥＳルート）、携帯電話機への保存のため、保存先リスト１９Ｄが読み出され、画面上に表示される（ステップＳ１３）。一方、アイコン１６２が操作されると（ステップＳ１２のＮＯルート）、パソコンへの保存のため、通常の保存処理が実行される。
【００６７】
保存先リストが表示された後、ユーザの操作により保存先の選択が行われると、確認のメッセージ画面１６４が表示される（図６（Ｄ）参照）。例えば、保存先「Ａ１」１６３が選択されると（図６（Ｃ）参照）、保存確認として選択された文書ファイル「ＡＢＣ」を携帯電話機３を示す機種「Ａ１」に保存してもよいかどうかを決定するための選択アイコン１６５が表示される。この選択アイコン１６５は、“ＹＥＳ”と“ＮＯ”の２つである。
【００６８】
このとき、“ＹＥＳ”の選択アイコン１６５がユーザの操作により選択されると（ステップＳ１５）、元ファイル、保存先の確認が完了する。一方、“ＮＯ”の選択アイコン１６５がユーザの操作により選択されると（ステップＳ１５）、処理は終了する。
【００６９】
“ＹＥＳ”の選択アイコン１６５が選択された後、保存先の「Ａ１」に関する保存情報（画像サイズ及び画像形式）が読み出され（ステップＳ１６）、その保存情報に基づいて文書ファイル「ＡＢＣ」が画像ファイルに変換される（ステップＳ１７）。このとき、データを種別を示す識別子の埋め込みも実行される。
【００７０】
このようにして生成された画像ファイルの画像１６６はユーザに確認させるため、一旦画面上に表示される。同時に、ユーザが画像を確認したかどうかを内部処理で判断できるように“確認”か“キャンセル”のいずれか一方を選択できるようにアイコン１６７が表示される（図６（Ｅ）参照）。このように、画像変換した元ファイルの確認が行われる（ステップＳ１８）。
【００７１】
アイコン１６７の操作により“確認”が確認されると、ＰＣ１と携帯電話機３との通信より文書ファイル「ＡＢＣ」の画像ファイルは携帯電話機３に保存される（ステップＳ１９及びステップＳ２０）。保存が画完了すると、保存完了のメッセージ画面１６８が表示され（図６（Ｆ）参照）、ＰＣ１と携帯電話機３間の通信が遮断され、データ保存は完了する（ステップＳ２１）。
【００７２】
そして、携帯電話機３からＰＣ２へのファイル移動では、携帯電話機３上で画像３１１を表示させてデータファイルに相当する画像のＮｏ．を確認するようにしてもよく（図７（Ａ）参照）、あるいは、ＰＣ２への画像読み出しのたびに画像を表示してデータファイルに相当する画像を確認するようにしてもよい。
【００７３】
ＰＣ２では、まず、ＰＣ２を携帯電話機３に通信で接続させ（ステップＳ３０）、読み出し元の携帯電話機３の記憶領域から画像リストが読み出される（ステップＳ３１）。そして、画像リストを表示する処理が実行される（ステップＳ３２）。このとき、ＰＣ２のディスプレイ２２には、携帯電話機３で保存可能な画像分の画像Ｎｏ．はＮｏ．１、Ｎｏ．２、Ｎｏ．３・・・のように列挙されて表示される（図７（Ｂ）参照）。
【００７４】
そして、ユーザの操作により画像Ｎｏ．１のアイコン２２１が選択されると（図７（Ｂ））、ユーザに対して画像Ｎｏ．１の画像ファイルの読み出し可否の確認を促すメッセージ画面２２２と読み出しの可否を指示する“ＹＥＳ”か“ＮＯ”のアイコン２２３が表示される（図７（Ｃ）参照）。このようにして、読み出し対象の画像Ｎｏ．を選択する処理が実行される（ステップＳ３３）。
【００７５】
“ＹＥＳ”のコマンド２２３が操作されると、画像Ｎｏ．１の画像ファイルが携帯電話機３から読み出され、その画像ファイルに基づく画像２３４が解凍（復元）対象として画面上に表示される。同時に、“解凍”か“キャンセル”のいずれか一方を指示するコマンド２２５が表示される（図７（Ｄ）参照）。このように、読み出し確認後は、読み出し対象の画像Ｎｏ．１の画像を画面上に表示する処理が実行される（ステップＳ３４及びステップＳ３５）。
【００７６】
そして、“キャンセル”コマンド２２５の操作がなされると（ステップＳ３６のＮＯルート）、さらに終了操作がなされるまでは処理はステップＳ３１に戻り（ステップＳ３７のＮＯルート）、上述した処理が実行される。なお、終了操作がなされると（ステップＳ３７のＹＥＳルート）、本処理は終了する。
【００７７】
“解凍”コマンド２２５の操作がなされると（ステップＳ３６のＹＥＳルート）、読み出された画像Ｎｏ．１のファイルのデータの所定の位置から識別子に相当するデータが取り出される（ステップＳ３８）。この取り出されたデータがデータファイルの種別を示す正規の識別子であった場合には、識別子の存在が確認されたことになり（ステップＳ３９のＹＥＳルート）、解凍（復元）の処理が実行される（ステップＳ４１）。
【００７８】
一方、取り出された識別子が正規のＳ期別しでなかった場合には、識別子の不存在が確認されたことになり（ステップＳ３９のＮＯルート）、画面上にエラー表示がなされ、処理はステップＳ３７に移行する（ステップＳ４０）。
【００７９】
解凍後は、元ファイル名すなわち「ＡＢＣ」が画面上に表示され、ユーザが目的とするデータファイルかどうかの確認がコマンド２２６の表示によって行われる（図７（Ｅ）参照）。すなわち、元ファイル名の表示が行われた後（ステップＳ４２）、“確認”コマンド２２６の操作が確認されると（ステップＳ４３のＹＥＳルート）、元ファイルを保存する処理が実行される（ステップＳ４４）。ことき、保存が完了すると、保存完了のメッセージ画面２２７が表示されて処理が終了する（図７（Ｆ）参照）。なお、ユーザが目的とするデータファイルでなかった場合には（ステップＳ４３のＮＯルート）、処理はステップＳ３７に移行する。この場合には、再度目的のデータファイルを探す処理が実行されることになる。
【００８０】
以上説明したように、本実施の形態１によれば、ＰＣ間でデータ交換する際に、ＰＣ側でデータ交換対象のファイルを元ファイル（元データ）として携帯電話機、ＰＤＡ等の携帯端末固有の画像サイズ及び画像形式に変換し、携帯端末に通常の画像データと同様に保存するようにしたので、携帯端末に保存される画像そのものに意味はなくても画像を構成するデータがすべて元ファイルに基づいて形成されるため、画像ファイルのデータに余計な情報を加味しない効率的なデータ交換を実現することが可能である。この場合、携帯端末への保存データ量を必要最小限に抑えることが可能である。
【００８１】
また、携帯端末を一種の外部記憶装置として活用するが、画像そのものは何ら意味のない模様となり、見た目上ではあるが、画像として扱う場合にはセキュリティ上の効果も期待できる。
【００８２】
一般に、外付けＨＤＤ、フロッピー（登録商標）ディスク等の外部記憶装置が記録媒体としての用途しかないことから、利用者による携帯時の嵩張りが問題となるが、本実施の形態では、携帯端末を一種の外部記憶装置として活用できるので、上述した嵩張りの問題は解消される。
【００８３】
また、携帯端末とＰＣ間をＵＳＢケーブル等の有線通信で接続するだけで、簡単にデータ交換を実現することが可能である。
【００８４】
さらに、携帯端末とＰＣ間を赤外線、ブルートゥース等の無線通信で接続するだけで、簡単にデータ交換を実現することが可能である。
【００８５】
また、元ファイル（元データ）のデータ量が膨大な場合には、複数の画像ファイルに分割してデータ交換するようにしてもよくなる。このように、元ファイルが画像データの１ファイルに収まらない場合には、元ファイルを複数のファイルに分割して保存し、データ交換先にて１ファイルの元ファイルのデータに復元するようにするので、元ファイルのデータ量に依存しないデータ交換を実現することが可能である。
【００８６】
この場合について簡単に説明する。図１０は本実施の形態の一変形例によるファイル保存時の動作を説明するフローチャートであり、図１１は本実施の形態の一変形例によるファイル読み出し時の動作を説明するフローチャートである。
【００８７】
ファイル保存時には、ステップＳ１６（図８参照）の処理後、保存情報及び元ファイルのデータ量に基づいて分割の有無を示す保存方式が判断される（ステップＳ５１）。このとき、分割方式でない場合には（ステップＳ５２のＮＯルート）、処理はステップＳ１７（図８参照）に移行する。
【００８８】
一方、分割方式の場合には（ステップＳ５２のＹＥＳルート）、分割数が判断される。そして、ステップＳ１７（図８参照）と同等の保存処理において分割数に応じて各画像ファイルに対して分割フラグと分割順位を示すＮｏ．とをデータに埋め込む処理が実行される（ステップＳ５３）。
【００８９】
その後、分割された分の画像ファイルをユーザが視認できるように表示され（ステップＳ５４）、処理はステップＳ１９（図８参照）に戻る。
【００９０】
また、携帯電話機３からのファイル読み出しでは、ステップＳ３６（図９参照）の後、ユーザによる複数画像Ｎｏ．の選択有無が確認される（ステップＳ６１）。このとき、無しの場合には（ステップＳ６１のＮＯルート）、処理はステップＳ３９（図９参照）に移行する。一方、有りの場合には（ステップＳ６１のＮＯルート）、先頭の画像Ｎｏ．に対応する画像ファイルのデータから識別子の存在が確認される（ステップＳ６２）。このとき、識別子の不存在が確認されると（ステップＳ６２のＮＯルート）、処理はステップＳ４０（図９参照）に移行する。
【００９１】
一方、識別子の存在が確認されると（ステップＳ６２のＹＥＳルート）、さらに分割フラグの存在が確認される（ステップＳ６３）。このとき、分割フラグの不存在が確認されると（ステップＳ６３のＮＯルート）、処理はステップＳ４０（図９参照）に移行する。一方、分割フラグの存在が確認されると（ステップＳ６３のＹＥＳルート）、選択された他のファイルも含めて、データに埋め込まれた分割順位に従って解凍（復元）が行われる（ステップＳ６４）。復元の後、処理はステップＳ４２に移行する（図９参照）。
【００９２】
さらに、元ファイル（元データ）のデータ量が少量の場合には、複数の元データで１つの画像ファイルを形成してデータ交換するようにしてもよい。元ファイルのデータ量が少なく、複数の元ファイルを画像ファイルの１ファイルに収める場合には、複数の元ファイルを後に分解可能に１つの元ファイルに合体させ、データ交換先にて合体された元ファイルを個々の元ファイルに復元するようにすれば、元ファイルのデータ量に依存しないデータ交換を実現することが可能である。この場合には、携帯端末においてより効率的に、データを保存させ、交換することが可能である。
【００９３】
また、元ファイルのデータ量が１画像ファイルで済む場合には、元ファイルを圧縮したものを画像ファイルに変換するようにしてもよい。
【００９４】
さて、元ファイルから画像ファイルへの変換時、画像変換されたデータファイルを判別しやすいように、変換の日時等も画像ファイルのデータへ埋め込むようにしてもよい。
【００９５】
【発明の効果】
以上説明したように本発明によれば、携帯端末を用いてデータ交換する際に、携帯端末に保存される画像そのものに意味はなくても画像を構成するデータがすべて元データに基づいて形成することで、画像データに余計な情報を加味しない効率的なデータ交換を実現することが可能なデータ交換装置、データ交換方法及びデータ交換プログラムを提供できるという効果を奏する。
【図面の簡単な説明】
【図１】本実施の形態による原理を説明する図である。
【図２】本実施の形態によるＰＣの一構成例を示すブロック図である。
【図３】本実施の形態で扱うリストの一例を示す図である。
【図４】本実施の形態によるファイル保存機能を説明するブロック図である。
【図５】本実施の形態によるファイル読み出し機能を説明するブロック図である。
【図６】本実施の形態によるファイル保存時の表示遷移を説明する図である。
【図７】本実施の形態によるファイル読み出し時の表示遷移を説明する図である。
【図８】本実施の形態によるファイル保存時の動作を説明するフローチャートである。
【図９】本実施の形態によるファイル読み出し時の動作を説明するフローチャートである。
【図１０】本実施の形態の一変形例によるファイル保存時の動作を説明するフローチャートである。
【図１１】本実施の形態の一変形例によるファイル読み出し時の動作を説明するフローチャートである。
【符号の説明】
１，２  ＰＣ
３  携帯電話機
１３  ＣＰＵ
１４  ＲＯＭ
１５  ＲＡＭ
１６  ディスプレイ
１７  キーボード
１８  ＣＤ／ＤＶＤドライブ
１９  ハードディスク
１９Ａ  プログラム
１９Ｂ  メモリ
１９Ｃ  ファイルリスト
１９Ｄ  保存先リスト
１０１  元ファイル選択部
１０２  保存先選択部
１０３  保存情報取得部
１０４  画像変換部
１０５  元ファイル読み出し部
１０６  識別子埋め込み部
１０７  画像保存部
２０１  画像リストの読み出し部
２０２  読み出した衣装の画像選択部
２０３  画像読み出し部
２０４  識別子有無の判定部
２０５  解凍（復元）部
２０６  元ファイルの記憶部
【図１】
2004240775.tif 000003
【図２】
2004240775.tif 000004
【図３】
2004240775.tif 000005
【図４】
2004240775.tif 000006
【図５】
2004240775.tif 000007
【図６】
2004240775.tif 000008
【図７】
2004240775.tif 000009
【図８】
2004240775.tif 000010
【図９】
2004240775.tif 000011
【図１０】
2004240775.tif 000012
【図１１】
2004240775.tif 000013